(57)【要約】【課題】  ドアを開放作動させあるいは閉鎖作動させるための解除操作の際に、ドアストッパが騒音を発生しないようにする。【解決手段】  舞台に設けられるドアＤと、このドアＤに設けられるドアストッパＳとを有する舞台用ドアにおいて、ドアストッパＳがドアＤに設けられる支持部１と、この支持部１に上下動自在に設けられるガイド軸２と、このガイド軸２に設けられて下端が床面Ｆに離着座するストッパ３とを有し、ストッパ３と支持部１との間に設けられてストッパ３を支持部１に対して下降方向に附勢する附勢ばね４を有し、ガイド軸２が上端にこのガイド軸２の手動操作を可能にするハンドル５を有する。【選択図】  図１
2014015763.tif 000002
【特許請求の範囲】
【請求項１】
舞台に設けられるドアと、このドアに設けられるドアストッパとを有する舞台用ドアにおいて、
上記ドアストッパが上記ドアに設けられる支持部と、この支持部に上下動自在に設けられるガイド軸と、このガイド軸に設けられて下端が床面に離着座するストッパとを有し、
上記ストッパと上記支持部との間に設けられて上記ストッパを上記支持部に対して下降方向に附勢する附勢ばねを有し、
上記ガイド軸が上端にこのガイド軸の手動操作を可能にするハンドルを有することを特徴とする舞台用ドア。
【請求項２】
上記支持部がドアに連結される連結部と、この連結部に設けられて上記ガイド軸を上下方向に挿通させる筒とを有し、この筒の下端と上記ストッパとの間に上記附勢ばねがコイルスプリングで形成されて介装される請求項１に記載の舞台用ドア。
【請求項３】
上記支持部に下方から当接されて上記附勢ばねの上端を係止する上方ばね受が滑り面を合わせる二枚のスラストワッシャで形成される請求項１または請求項２に記載の舞台用ドア。
【請求項４】
上記ハンドルの上記床面からの高さ位置が上記床面から６０センチメートル以上９０センチメートル以内とされる請求項１、請求項２または請求項３に記載の舞台用ドア。
【請求項５】
上記ドアが覗き窓を備える請求項１、請求項２、請求項３または請求項４に記載の舞台用ドア。
【発明の詳細な説明】
【技術分野】
【０００１】
この発明は、舞台用ドアに関し、特に、劇場などの舞台に設置される音響反射板に形成のドアにドアストッパを設けた舞台用ドアの改良に関する。
【背景技術】
【０００２】
出入り口に設けられるドアにあっては、用途によって、開放状態あるいは閉鎖状態を維持するドアストッパが設けられ、また、ドアストッパとしては、種々の提案がある。
【０００３】
たとえば、特許文献１に開示のドアストッパは、ドアに設けられる支持部と、この支持部に上下動自在に設けられるガイド軸と、このガイド軸に設けられて下端が床面に離着座するストッパと、このストッパと支持部との間に設けられてストッパを支持部に対して上昇方向に附勢する附勢ばねと、ストッパの上端から上方に突出するガイド軸の上端側部に介装される板状の解除レバーとを有して形成されている。
【０００４】
そして、解除レバーは、板厚を貫通するように形成される挿通孔にガイド軸の上端側部を挿通させると共に先端を支持部に係止させ、挿通孔をガイド軸に対して傾斜させて解除レバーとガイド軸との間に摩擦を生じさせるばねを支持部との間に設けている。
【０００５】
それゆえ、このドアストッパにあっては、ストッパが、たとえば、足踏みで押し下げられると、ストッパの下端が床面に着座すると共に、ストッパと共に下がったガイド軸の上端部に解除レバーの挿通孔が係合して、解除レバーがガイド軸の支持部に対する上昇を阻止する。
【０００６】
つまり、言い換えれば、ストッパがドアに対して上昇することを解除レバーで阻止することになり、ストッパが床面に着座する状態が維持されて、ドアの開放状態あるいは閉鎖状態が維持される。
【０００７】
そして、解除レバーを押し下げるようにして解除レバーのガイド軸に対する係合を解除すると、ガイド軸の支持部に対する上昇が許容され、附勢ばねの附勢力でストッパが上昇し、したがって、ストッパの下端が床面から離れて、ドアの開放作動あるいは閉鎖作動を許容することになる。
【先行技術文献】
【特許文献】
【０００８】
【特許文献１】特開２００４−２８５７１９号公報
【発明の概要】
【発明が解決しようとする課題】
【０００９】
ところで、近年の多目的ホールなどでは、演奏に備えて、舞台に音響反射板、つまり、舞台の奥側に設けられて客席に対向する正面反射板、舞台の天井側に設けられる天井反射板および舞台の間口方向の端部となる袖側に設けられる側面反射板を利用して、音響空間を形成する。
【００１０】
一方、演奏が終わると、たとえば、指揮者だけが舞台から退場することがあるが、この指揮者の退場に合わせて、側面反射板の裏側に居る裏方たる人が側面反射板に形成のドアをタイミング良く開放することが日常的に行われている。
【００１１】
そして、ドアが開放される迄は、ドアが開放作動しないようにドアストッパによってドアが閉鎖状態に維持されているので、ドアストッパは、ドアを開放する直前にいわゆる解除操作する。
【００１２】
ドアストッパが上記の特許文献１に開示のドアストッパであるとき、これを解除操作するには、解除レバーを下方に向けて押すようにして、解除レバーとガイド軸との係合を解く。
【００１３】
それゆえ、ドアストッパにあっては、ガイド軸に設けられているストッパが附勢ばねの附勢力で旧状に復する、つまり、ストッパが支持部に対して上昇するが、ストッパは、附勢ばねの附勢力で勢い良く上昇して支持部に衝突することになり、その結果、衝突音たる騒音が客席に響き渡ることが危惧される。
【００１４】
この発明は、このような現状を鑑みて創案されたものであって、ドアを開放作動させあるいは閉鎖作動させるための解除操作の際に、ドアストッパが騒音を発生しないようにした舞台用ドアを提供することを目的とする。
【課題を解決するための手段】
【００１５】
上記した目的を達成するために、この発明の構成を、舞台に設けられるドアと、このドアに設けられるドアストッパとを有する舞台用ドアにおいて、上記ドアストッパが上記ドアに設けられる支持部と、この支持部に上下動自在に設けられるガイド軸と、このガイド軸に設けられて下端が床面に離着座するストッパとを有し、上記ストッパと上記支持部との間に設けられて上記ストッパを上記支持部に対して下降方向に附勢する附勢ばねを有し、上記ガイド軸が上端にこのガイド軸の手動操作を可能にするハンドルを有するとする。
【発明の効果】
【００１６】
それゆえ、この発明の舞台用ドアに設けられるドアストッパにあっては、ガイド軸に設けられるストッパが附勢ばねで附勢されて支持部に対して下降すると共に下端を床面に着座するから、この状態を維持することでドアの開放状態あるいは閉鎖状態を維持する。そして、ガイド軸が附勢ばねの附勢力に抗して上昇すると、ストッパが上昇して床面から離れドアの開放作動あるいは閉鎖作動を許容する。
【００１７】
そして、ドアストッパにあっては、ガイド軸の上端にハンドルを有し、このハンドルによって、附勢ばねの附勢力に抗してガイド軸を上昇させるから、極端に大きな引き上げ力にならない限り、ストッパが支持部などに衝突しない。
【００１８】
また、ドアストッパにあっては、ハンドルによって、ガイド軸の下降速度の抑制を可能にし得るから、ストッパが附勢ばねの附勢力で勢い良く床面に衝突することを防止でき、ストッパが床面に衝突することによる衝突音の発生を回避できる。
【００１９】
その結果、この発明の舞台用ドアにあっては、ドアストッパが閉鎖状態あるいは開放状態にあるドアを開放作動させあるいは閉鎖作動させるための解除操作の際に騒音を発生しない。
【図面の簡単な説明】
【００２０】
【図１】この発明の舞台用ドアの利用状況を示す概念図である。
【図２】この発明の舞台用ドアにおけるドアストッパの一作動状態を示す側面図である。
【図３】この発明の舞台用ドアにおけるドアストッパの他の作動状態を示す正面図である。
【図４】ストッパ部分を拡大して示す部分断面側面図である。
【図５】状態維持手段の一実施形態を示す部分拡大展開図である。
【発明を実施するための形態】
【００２１】
以下に、図示した実施形態に基づいて、この発明を説明するが、図１に示すように、この発明による舞台用ドアは、劇場などの舞台の床面Ｆに設けられる側面反射板Ｏに形成のドアＤと、このドアＤに設けられるドアストッパＳとを有する。
【００２２】
そして、ドアストッパＳは、図示するところでは、ドアＤにおける閉鎖状態を継続させ、また、人Ｍの操作によってドアＤの開放作動を許容するもので、図２および図３に示すように、支持部１と、ガイド軸２と、ストッパ３と、附勢ばね４とを有して形成される。なお、図２中および図３中においては、側面反射板Ｏの図示を省略する。
【００２３】
支持部１は、ドアＤの下端部に設けられて、ガイド軸２を保持するもので、図示するところでは、ドアＤの下端部に連結される連結部１１と、この連結部１１に溶接などで一体的に設けられる筒１２とを有する。
【００２４】
そして、ガイド軸２は、支持部１における筒１２に上下動自在に保持されるもので、筒１２の下端から下方に突出する下端にストッパ３を有し、同じく下端部の外周に附勢ばね４を伸縮自在に介装させ、筒１２の上端から上方に突出する上端にハンドル５を一体的に有する。
【００２５】
また、ストッパ３は、舞台の床面Ｆに着座するとき、ドアＤの開放作動を阻止すると共に、舞台の床面Ｆから離座するとき、ドアＤの開放作動を許容するもので、舞台の床面Ｆに下端が離着座するパッド３１と、このパッド３１をガイド軸２の下端部に保持する連結軸３２とを有する。
【００２６】
さらに、附勢ばね４は、ストッパ３を下降方向に附勢するもので、コイルスプリングで形成され、支持部１とストッパ３との間に位置決めされてガイド軸２の外周に介装される。
【００２７】
ところで、ドアＤは、この実施形態では、詳しくは図示しないが、劇場などの舞台の床面Ｆに立設などされて設けられる音響反射板、特に、舞台に対向する客席から見る舞台の左右方向たる間口方向の端部の袖と称される部分寄りに設けられる側面反射板Ｏに形成の出入り口を開閉する。
【００２８】
そして、側面反射板Ｏは、たとえば、舞台の上方から吊られて舞台に設けられる場合に、下端が床面Ｆに当接するが、この発明の具現化にあっては、下端が床面Ｆから離れて、いわゆる浮いた状態にあるとしても良い。
【００２９】
一方、ドアＤは、側面反射板Ｏに形成の出入り口を開閉自在にする限りには、たとえば、フレーム構造やパネル構造などに形成されて軽量化が図られる一方で、この発明の具現化の上からは、煽り戸構造に形成されるのが良い。また、ドアＤは、図１中で右側となる側面反射板Ｏの裏側から人Ｍが舞台の様子を確認できる覗き窓Ｗを有する。
【００３０】
ドアＤが煽り戸構造に形成されることで、ドアＤをヒンジ利用で側面反射板Ｏに設けることが可能になり、側面反射板ＯにドアＤを設けるのに当たっての部品点数を多くしない点で有利になる。
【００３１】
また、ドアＤの下端は、床面Ｆに当接せずしていわゆる浮いた状態に維持されて、ドアＤの下端が床面Ｆに摺接してドアＤの開閉作動時に騒音たる摺動音が発生することを回避している。
【００３２】
覗き窓Ｗは、図１に示すように、側面反射板Ｏの裏側からドアＤを開閉操作する人Ｍ、つまり、ドアＤを開閉操作する平均的な背丈を有する人Ｍが立ったまま舞台を覗くのに好ましい高さ位置に設けられる。そして、覗き窓Ｗは、音漏れを阻止する上からは、いわゆる開口を可視性の、たとえば、ガラス板や合成樹脂板で遮蔽するのが好ましい。
【００３３】
戻って、支持部１における連結部１１は、ドアＤを形成する下端部材Ｄ１にボルト１３で固着され、このとき、座金１４は、ボルト１３の下端部材Ｄ１に対する縦方向への移動を許容する長孔１４ａ（図２参照）を有し、支持部１のドアＤに対する連結位置の高低調整を可能にしている。
【００３４】
一方、支持部１における筒１２は、図示するところでは、円筒からなり、連結部１１に、たとえば、溶接で一体的に連設され、この筒１２に保持される後述のガイド軸２の上下動だけでなく、回動をも自在にする。
【００３５】
つぎに、ガイド軸２は、図示するところでは、ロッド状体で形成され、前記した特許文献１に開示のガイド軸に比較して長く形成されている。ガイド軸２が長く形成されることで、このガイド軸２に対する操作性を良くし得るが、このことについては後述する。
【００３６】
なお、ガイド軸２については、結果的に、所定の強度を有するものであれば足り、この観点からすると、ロッド状体で形成されるのに代えて、図示しないが、パイプで形成されても良く、ガイド軸２がパイプで形成される場合には、ガイド軸２の重量を軽減する、つまりは、ドアストッパＳの重量の軽減に寄与する。
【００３７】
ストッパ３は、比較的硬質のゴム材や合成樹脂材で形成されるパッド３１を連結軸３２の下端に設けている。なお、このパッド３１が連結軸３２の下端に揺動可能に設けられる場合には、下端を当接する床面Ｆ（図１および図２参照）に傾斜があったとしても、パッド３１の下端の全面が床面Ｆに密着することになり、ストッパ効果を高められる。
【００３８】
ストッパ３におけるパッド３１が比較的硬質のゴム材や合成樹脂材で形成されることで、床面Ｆに対するストッパ３の当接状態を維持し易くなるのはもちろんのこと、床面Ｆにストッパ３が当接することに起因する床面Ｆの傷付きを回避できると共に、ストッパ３が床面Ｆに当接する際の当接音を和らげることが可能になる。パッド３１の床面Ｆに当接する下面については、いわゆる滑り止めの配慮がなされていても良いことはもちろんである。
【００３９】
また、図３に示すように、ストッパ３において、連結軸３２は、有頭ボルトで形成され、ガイド軸２における下端部の軸芯部に出入自在に設けられ、ガイド軸２の下端部に螺入される長さを固定できるようにロックナット３３を螺装させ、このロックナット３３は、ガイド軸２の下端に当接してロック機能を発揮する。
【００４０】
ストッパ３にあって、連結軸３２におけるガイド軸２に対する螺入長さを調整できることで、ドアＤの高さ位置、つまり、ドアＤを形成する下端フレームＤ１の床面Ｆからの高さ位置の微小な変更に追従できることになる。
【００４１】
附勢ばね４は、図示するところでは、図４に示すように、下端が下方ばね受４１に担持されると共に上端が上方ばね受４２に係止される。そして、下方ばね受４１は、環状に形成されてロックナット３３とガイド軸２の下端との間に挟持され、上方ばね受４２は、二枚のスラストワッシャ４２ａ，４２ｂで形成され、滑り面を互いに摺接させ、支持部１における筒１２の下端に下方から当接されて、附勢ばね４の附勢力で定位置に定着されている。
【００４２】
附勢ばね４の上端を係止する上方ばね受４２が滑り面を合わせる二枚のスラストワッシャ４２ａ，４２ｂで形成されるから、支持部１に対してガイド軸２を回動させる際に附勢ばね４の上端が支持部１に対して抵抗なく回り、附勢ばね４の伸縮が円滑に実現される。
【００４３】
それゆえ、この附勢ばね４にあっては、支持部１に対するガイド軸２の上下動が規制されていないときには、ガイド軸２を図中で下降させるように機能し、ストッパ３を床面Ｆに押し付ける、つまり、ストッパ３を床面Ｆに当接させるように機能する。
【００４４】
一方、この附勢ばね４にあっては、ストッパ３を床面Ｆに押し付ける附勢力に抗する外力の入力があると、つまり、ガイド軸２が附勢ばね４の附勢力に勝る外力で支持部１に対して上昇される際には、附勢ばね４が収縮して、ガイド軸２の上昇を許容する。
【００４５】
言い換えると、ドアストッパＳにあっては、ドアＤを開放作動させるときには、附勢ばね４の附勢力に抗してガイド軸２を引き上げるようにするから、極端に大きな力でガイド軸２を引き上げない限り、ストッパ３が支持部１に高速で衝突することがなく、衝突音たる騒音の発生がない。
【００４６】
一方、このドアストッパＳにあっては、ガイド軸２が上端にハンドル５を有すると共に、このハンドル５が外力、つまり、人力の入力で附勢ばね４の附勢力に抗するガイド軸２の上昇を可能にし、また、附勢ばね４の附勢力によるガイド軸２の下降速度の抑制を可能にするとしている。
【００４７】
詳しく説明すると、ハンドル５は、ガイド軸２の支持部１に対する引き上げを可能にすると共に、ガイド軸２の支持部１に対する回動を可能にするもので、図示するところでは、ガイド軸２の上端に一体的に設けられる。
【００４８】
すなわち、ハンドル５は、詳しくは図示しないが、ガイド軸２の上端から上方に、つまり、ガイド軸２の軸線方向に沿って上端から突出する螺条軸５１に螺着されると共に、螺条軸５１に螺装のロックナット５２の螺着でガイド軸２に対して回動不能に設けられる。
【００４９】
ハンドル５がガイド軸２に回動不能に、つまり、一体的に設けられることで、ハンドル５の回動によるガイド軸２の支持部１に対する回動が可能になり、後述する状態維持手段の作動を保障し得ることになる。
【００５０】
一方、ハンドル５の床面Ｆからの高さ位置は、たとえば、６０〜９０センチメートルになるとして、床面Ｆに立つ人Ｍによるこのハンドル５の把持を可能にするとしている。ハンドル５の高さ位置が高過ぎると、ハンドル５を引き上げる操作が大変になると共に、ハンドル５を回し難くなり、ハンドル５の高さ位置が低過ぎると、前屈みの状態になって操作が大変になると共に、覗き窓Ｗから視線を外すことになり易くなる。
【００５１】
このことからすると、ハンドル５の床面Ｆからの高さ位置は、たとえば、人Ｍの下げた手の高さ位置または手の近傍の高さ位置とされたり、あるいは、人Ｍの腰の高さ位置または腰の近傍の高さ位置とされたりする。
【００５２】
これによって、人Ｍは、床面Ｆに立ったままの体勢で、ハンドル５を介してガイド軸２を回動させたり、あるいは、ガイド軸２をゆっくり下降させたり、また、下がっているガイド軸２を引き上げたりする操作を容易になし得ることになる。
【００５３】
すなわち、前記した特許文献１に開示のドアストッパにあっては、ストッパを上昇させるためのガイド軸の上昇に際しては、解除レバーを押し下げる動作が必須になるが、この解除レバーは、人の言わば足元の近くにあるから、解除レバーを足で操作するとしても、解除レバーの操作の際には、解除レバーの位置を目で確認する作業が必須になる。
【００５４】
このことは、人がドアに形成した覗き窓から目を離すこと、つまり、退場してくる指揮者から目を離すことに繋がり、ドアストッパを解除操作してドアを開放するタイミングを取り辛くすることを意味する。
【００５５】
それに対して、この発明におけるドアストッパＳにあっては、ガイド軸２が長く形成されて、ガイド軸２の上端に設けられるハンドル５の高さ位置が、たとえば、人Ｍの下げた手の高さ位置あるいは手の近傍の高さ位置とされるから、人Ｍが覗き窓Ｗから、つまり、退場してくる指揮者から目を離すことなく、ガイド軸２を引き上げることが可能になり、ドアストッパＳを解除操作してドアＤを開放するタイミングを取り易くすることになる。
【００５６】
この発明におけるドアストッパＳは、以上のように形成される一方で、状態維持手段を備えるとしている。そこで、以下には、この状態維持手段について説明するが、この状態維持手段は、要は、ガイド軸２が支持部１に対して上昇している状態を言わば所望の時間維持するものであり、この動作を実現し得る限りには、任意に構成されて良い。
【００５７】
つまり、前記したように、この発明におけるドアストッパＳにあっては、ストッパ３が床面Ｆに当接しているときには、ドアＤの開閉作動を阻止するが、ストッパ３が床面Ｆから離れるときには、ドアＤの開閉作動を許容する。
【００５８】
そして、ストッパ３の床面Ｆからの離座は、支持部１に対してガイド軸２が上昇されることで具現化されるとしており、状態維持手段は、ガイド軸２が支持部１に対して上昇している状態を維持する。
【００５９】
図示するところでは、状態維持手段が支持部１とガイド軸２との間に形成されるとし、図５にも示すように、支持部１における筒１２に形成されてガイド軸２（図２参照）の外周に対向する孔Ｈと、ガイド軸２の外周に径方向に突設されて孔Ｈに挿通されるピンＰとで形成されるとしている。
【００６０】
孔Ｈは、筒１２において、逆Ｌ字状に形成され、長軸部Ｈ１を筒１２の軸線方向に沿うように形成し、この長軸部Ｈ１に連続する短軸部Ｈ２を筒１２の円周方向に沿うように形成し、さらに、短軸部Ｈ２の周方向の端部に筒１２の軸線方向の下方に延びる止め部Ｈ３を有している。
【００６１】
一方、ピンＰは、ガイド軸２の外周に植設されて形成されるとし、突出する長さを筒１２に形成の孔Ｈを貫通し、あるいは、貫通しないまでも、孔Ｈの内壁に当接する長さとする。
【００６２】
戻って、長軸部Ｈ１は、筒１２の内側でのガイド軸２の昇降ストロークを設定するもので、図示するところでは、ほぼ５センチメートルになるとして、たとえば、ハンドル５を介してガイド軸２を引き上げるとき、人Ｍがガイド軸２を引き上げたことを確実に体感できるようにしている。
【００６３】
一方、短軸部Ｈ２は、筒１２の内側でのガイド軸２の９０度となる回動を保障する長さを有し、これによって、ドアストッパＳが解除状態にあるか否かを一見して判別できることになる。
【００６４】
つまり、引き上げられる前のガイド軸２にあっては、図２に示すように、ハンドルＨがドアＤに対して直交する態勢に位置決められるのに対して、引き上げられて回動された後のガイド軸２にあっては、図３に示すように、ハンドルＨがドアＤに平行する態勢に位置決められることになり、ハンドルＨの向きの違いから、ストッパ３が床面Ｆに当接しているか否かを一見して判別できることになる。
【００６５】
また、孔Ｈにあっては、短軸部Ｈ２の端部に止め部Ｈ３を有して、この止め部Ｈ３へのピンＰの嵌装を許容している。短軸部Ｈ２の端部に形成の止め部Ｈ３にピンＰが嵌装されることで、たとえば、ドアＤの振動でピンＰが短軸部Ｈ２から外れて長軸部Ｈ１に落ち込み、ストッパ３が床面Ｆに当接する事態の招来を回避できることになる。ちなみに、図５中に一点鎖線図で示すところは、ストッパ３が床面Ｆに当接しているときのピンＰの位置である。
【００６６】
以上のように形成されたこの発明におけるドアストッパＳにあっては、ガイド軸２に設けられるストッパ３が附勢ばね４で附勢されて支持部１に対して下降すると共に下端を床面Ｆに着座するから、この状態を維持することでドアＤの開放状態あるいは閉鎖状態を維持することが可能になる。そして、ガイド軸２が附勢ばね４の附勢力に抗して上昇すると、ストッパ３が上昇して床面Ｆから離れてドアＤの開放作動あるいは閉鎖作動を許容することになる。
【００６７】
そして、この発明におけるドアストッパＳにあっては、ガイド軸２の上端にハンドル５を有し、このハンドル５によって、附勢ばね４の附勢力に抗してガイド軸２を上昇させるから、極端に大きな引き上げ力にならない限り、ストッパ３が支持部１などに衝突しないことになる。
【００６８】
また、ハンドル５によって、ガイド軸２の下降速度の抑制を可能にし得るから、ストッパ５が附勢ばね４の附勢力で勢い良く床面Ｆに衝突することを防止でき、ストッパ３が床面Ｆに衝突することによる衝突音の発生を回避できることになる。
【００６９】
その結果、この発明の舞台用ドアにあっては、ドアストッパＳが閉鎖状態あるいは開放状態にあるドアＤを開放作動させあるいは閉鎖作動させるための解除操作の際に騒音を発生しないことになる。
【００７０】
前記したところでは、この発明におけるドアストッパＳが舞台に設けられる側面反射板Ｏに形成のドアＤ、つまり、舞台用ドアに適用される場合を例にして説明したが、この発明が意図するところからすれば、ストッパ３が支持部１などに衝突することによる衝突音たる騒音たる発生が好ましくないとされる場面での利用に供されるとしても良い。
【００７１】
そして、前記したところでは、状態維持手段が支持部１とガイド軸２との間にあって、孔ＨとピンＰとで形成されるとしたが、この状態維持手段が機能するところを勘案すると、たとえば、図示しないが、上昇して回動されるハンドル５を担持する受部をドアＤに形成するとしても良く、また、上昇して回動されるハンドル５がドアＤに吊持されるフックに引っ掛けられるとしても良い。
【符号の説明】
【００７２】
１  支持部
２  ガイド軸
３  ストッパ
４  附勢ばね
５  ハンドル
１１  連結部
１２  筒
１３  ボルト
１４  座金
１４ａ  長孔
３１  パッド
３２  連結軸
３３，５２  ロックナット
４１  下方ばね受
４２  上方ばね受
４２ａ，４２ｂ  スラストワッシャ
５１  螺条軸
Ｄ  ドア
Ｄ１  下端部材
Ｆ  床面
Ｈ  状態維持手段を構成する孔
Ｈ１  長軸部
Ｈ２  短軸部
Ｈ３  止め部
Ｍ  人
Ｏ  側面反射板
Ｐ  状態維持手段を構成するピン
Ｓ  ドアストッパ
Ｗ  覗き窓
【図１】
2014015763.tif 000003
【図２】
2014015763.tif 000004
【図３】
2014015763.tif 000005
【図４】
2014015763.tif 000006
【図５】
2014015763.tif 000007